(57)【要約】【課題】部品のコストを削減するとともに、部品点数を削減して作業工程の削減とコスト削減とを実現する光ディスク装置を提供することである。【解決手段】支点軸方式の光ピックアップ１を備えた光ディスク装置において、対物レンズ１１と、対物レンズ１１を保持する樹脂製のレンズホルダ８と、レンズホルダ８に一体成型され回動軸且つ摺動軸となる樹脂製のシャフト５と、シャフト５の回動面且つ摺動面となる孔３ｃを底面に有するアクチュエータベース３とを備えた構成とする。【選択図】図３
2007234125.tif 000002
【特許請求の範囲】
【請求項１】
支点軸方式の光ピックアップを備えた光ディスク装置において、
対物レンズと、該対物レンズを保持する樹脂製のレンズホルダと、該レンズホルダに一体成型され回動軸且つ摺動軸となる樹脂製のシャフトと、該シャフトの回動面且つ摺動面となる孔を底面に有するアクチュエータベースとを備えたことを特徴とする光ディスク装置。
【請求項２】
支点軸方式の光ピックアップにおいて、
対物レンズと、該対物レンズを保持するレンズホルダと、該レンズホルダに固定され回動軸且つ摺動軸となる樹脂製のシャフトと、該シャフトの回動面且つ摺動面となる孔を有するアクチュエータベースとを備えたことを特徴とする光ピックアップ。
【請求項３】
前記レンズホルダ及び前記シャフトが樹脂の一体成型品であることを特徴とする請求項２記載の光ピックアップ。
【発明の詳細な説明】
【技術分野】
【０００１】
本発明は、支点軸方式の光ピックアップ及びそれを備えた光ディスク装置に関する。
【背景技術】
【０００２】
ＣＤ、ＤＶＤ等の光ディスクを記録再生する光ディスク装置には、光ディスクにレーザを照射し信号を読み取ったり記録したりする光ピックアップが備えられる。
【０００３】
ここで、光ピックアップの対物レンズは、フォーカス制御のために、光軸方向であるフォーカス方向に変位可能に取り付ける必要がある。また、対物レンズは、トラッキング制御のために、光軸に対して垂直方向であり、且つトラック方向に対して垂直方向となるトラッキング方向にも変位可能に取り付ける必要がある。
【０００４】
対物レンズをフォーカス方向及びトラッキング方向に変位可能に取り付けるための方式としては、従来より、支点軸方式、４ワイヤ方式、板バネ方式、成形ヒンジ方式などが用いられてきた。
【０００５】
支点軸方式は、対物レンズの光軸中心に対する偏心位置でレンズホルダを光ピックアップ本体に固定された軸に嵌合する方式である。そして、対物レンズをフォーカス方向に変位させるにはレンズホルダを軸に沿って摺動させ、対物レンズをトラッキング方向に変位させるにはレンズホルダを軸中心に回動させる。
【０００６】
また４ワイヤ方式、板バネ方式、成形ヒンジ方式は、それぞれ対物レンズを４本のワイヤ、板バネ、樹脂成形によって形成された成形ヒンジを介して、光ピックアップに本体に取り付ける方式である。そして、対物レンズをフォーカス方向及びトラッキング方向に変位させるには、ワイヤ、板バネ、成形ヒンジを撓ませる。
【０００７】
このように、光ピックアップには様々な形態があるが、支点軸方式は、軸中心に回動させる場合はよいが、この軸に沿ってフォーカス方向に支持部材を摺動させる際に引っかかり等が生じ、スムーズな変位を行うことができないことがある。また４ワイヤ方式、板バネ方式、成形ヒンジ方式は、構造が複雑なため組み立て精度を高める必要があり、製造コストが高くなるという問題がある。そこで、このような問題を解決するために様々な光ピックアップが提案されている。
【０００８】
例えば特許文献１には、対物レンズを取り付けた支持部材における光軸中心からの偏心位置が樹脂板の突端部間で光軸方向に平行な回動軸を中心として回動自在に枢着された光ピックアップの対物レンズ支持装置が開示されている。
【０００９】
また特許文献２には、信号読取装置の２次共振周波数を上昇させ、制御周波数帯域を広げるための信号読取装置用熱可塑性樹脂材料と、それを成形して得られる信号読取装置用部品が開示されている。
【００１０】
また特許文献３には、レンズホルダの弾性率と摺動性とを共に高レベルに両立させて装置の高速化及び応答性の向上を図る光ピックアップ装置が開示されている。
【特許文献１】特開平１−２８７８２９号公報
【特許文献２】特開２００１−６７７０２号公報
【特許文献３】特開平９−３０５９９８号公報
【発明の開示】
【発明が解決しようとする課題】
【００１１】
ところで、４ワイヤ方式や板バネ方式や成形ヒンジ方式よりも製造コストの低い支点軸方式を採用しても、光ピックアップの部材には金属や樹脂が混在しており、部品点数が多いため作業工程が多く、また金属部材を多く用いる程コストアップになる。
【００１２】
通常、支点軸方式においてレンズホルダは樹脂製であり、レンズホルダの回動軸且つ摺動軸となるシャフトは金属である。そして金属シャフトがレンズホルダの孔に圧入される。金属シャフトには表面粗度の安定や磁束密度の向上などの利点があるが、部品のコストが高いという問題や作業工程が多いという問題がある。そこで、金属シャフトを用いることによるこれらの問題を解決することが望まれる。この点について、特許文献１〜３には記載も示唆もされていない。
【００１３】
本発明は、部品のコストを削減した光ピックアップを提供することを第１の目的とする。更に、部品点数を削減し、作業工程の削減とコスト削減とを実現する光ピックアップを提供することを第２の目的とする。また、この光ピックアップを備えた光ディスク装置を提供することを第３の目的とする。
【課題を解決するための手段】
【００１４】
上記第１の目的を達成するために本発明は、支点軸方式の光ピックアップにおいて、対物レンズと、該対物レンズを保持するレンズホルダと、該レンズホルダに固定され回動軸且つ摺動軸となる樹脂製のシャフトと、該シャフトの回動面且つ摺動面となる孔を有するアクチュエータベースとを備えたことを特徴とする。
【００１５】
この構成では、従来のアクチュエータベースに固定された金属製のシャフトに対してレンズホルダが摺動していた構成に代えて、アクチュエータベースに対してレンズホルダに固定された樹脂製のシャフトが摺動する構成としている。
【００１６】
また上記第２の目的を達成するためには、上記の光ピックアップにおいて、前記レンズホルダ及び前記シャフトを樹脂の一体成型品にすればよい。
【００１７】
また上記第３の目的を達成するために本発明は、支点軸方式の光ピックアップを備えた光ディスク装置において、対物レンズと、該対物レンズを保持する樹脂製のレンズホルダと、該レンズホルダに一体成型され回動軸且つ摺動軸となる樹脂製のシャフトと、該シャフトの回動面且つ摺動面となる孔を底面に有するアクチュエータベースとを備えたことを特徴とする。
【発明の効果】
【００１８】
本発明によれば、アクチュエータベースに対してレンズホルダに固定された樹脂製のシャフトが摺動する構成とすることにより、フォーカスやトラッキングの性能は維持しながら部品のコストを削減することができる。
【００１９】
また本発明によれば、更に、レンズホルダとシャフトとを樹脂の一体成型にすることにより、部品点数が削減され、作業工程の削減とコスト削減とが実現する。
【発明を実施するための最良の形態】
【００２０】
図１は、光ピックアップの分解斜視図、図２は、光ピックアップの上面図、図３は、光ピックアップの側断面図である。但し、図３ではピックアップベースは省略してある。
【００２１】
光ピックアップ１は支点軸方式を採用しており、樹脂製のピックアップベース２、金属製のアクチュエータベース３、マグネット４、樹脂製のシャフト５、磁性片６、フォーカスコイル７、樹脂製のレンズホルダ８、フレキシブルプリント基板９、トラッキングコイル１０、対物レンズ１１、樹脂製のカバー１２を備える。上記の樹脂としては、液晶性全芳香族系ポリエステルなどを用いることができる。従来のシャフトは金属製であったため、それを樹脂製にすることで部品コストが削減できる。また、シャフトは摺動や回動するので表面粗度を管理する必要があり、金属製から樹脂製に変更することで管理が容易となる。
【００２２】
アクチュエータベース３はピックアップベース２にネジ止めされる。ピックアップベース２には、不図示のレーザダイオード、レンズ系、受光素子等が取り付けられる。シャフト５はアクチュエータベース３の底面に設けられた孔３ｃ（図３）に、回動可能及び摺動可能に挿嵌される。孔３ｃの内側面はシャフト５の回動面且つ摺動面となる。なお孔３ｃは、シャフト５の動作を安定して規制するためにその内側面を大きくすることが好ましく、図３に示すように、ａ及びｂ方向に突出した形状とすることが好ましい。
【００２３】
また、レンズホルダ８の中央部には下方向にボス部８ｂ（図３）が突設され、レンズホルダ８の上面からボス部８ｂを貫通するように軸孔８ａが設けられる。また、レンズホルダ８の端部には対物レンズ１１が接着される。また、ボス部８ｂに嵌合するようフォーカスコイル７および磁性片６がレンズホルダ８に接着され、レンズホルダ８の両側面にはトラッキングコイル１０の巻線部が接着される。そして、シャフト５が圧入等により軸孔８ａに固定される。
【００２４】
なお、シャフト５はレンズホルダ８に一体成型する方がより好ましい。一体成型することにより部品点数の削減になり、シャフト５をレンズホルダ８に圧入する作業工程の削減と、コスト削減とを実現することができる。更に、シャフト５をレンズホルダ８に圧入したときに生じ易いシャフト５の傾きがなくなることで部品精度を上げることができ、光ピックアップの性能を向上させることができる。
【００２５】
また、アクチュエータベース３の両側面には底面から起立する起立板３ａが設けられ、この起立板３ａに当接するようマグネット４が接着される。
【００２６】
また、フレキシブルプリント基板９の一端に設けられた貼付部９ａが、レンズホルダ８の後方の端面８ｃに接着される。そして、フレキシブルプリント基板９に設けられた貼付部９ｃが、ベース部３の起立板３ａに略直交する側面に底面から起立されて設けられた起立板３ｂの外側面に接着される。そして、貼付部９ａが有する端子がフォーカスコイル７の引出し線およびトラッキングコイル１０の引出し線と半田付けにより接続される。また、フレキシブルプリント基板９の端部９ｄが有する端子が、ピックアップベース２に取り付けられるメインフレキシブルプリント基板（不図示）と半田付けにより接続される。また、接続部９ｂは貼付部９ａと貼付部９ｃとを接続する部分である。
【００２７】
そして、レンズホルダ８を覆うようにカバー１２がアクチュエータベース３の上部に取り付けられる。カバー１２には、対物レンズ１１を臨む開口部１２ａと、シャフト５が遊嵌される孔１２ｂが形成されている。
【００２８】
上記の構成において、フレキシブルプリント基板９の端部９ｄが有する端子から電流が供給され、フォーカスコイル７に電流が流れると、フォーカスコイル７が励磁され、レンズホルダ８及びシャフト５が図３中ａ又はｂ方向に変位し、対物レンズ１１の焦点を光ディスクの記録面に合わせるフォーカスサーボが行われる。このときシャフト５は孔３ｃの内側面に対して摺動している。また、同様にトラッキングコイル１０に電流が流れると、トラッキングコイル１０が励磁され、レンズホルダ８及びシャフト５が図２中ｃ又はｄ方向に回動し、対物レンズ１１により光ディスク上に形成されるビームスポットをトラックに追従させるトラッキングサーボが行われる。このときシャフト５は孔３ｃの内側面に対して回動している。
【００２９】
上記の光ピックアップ１のように、従来のアクチュエータベースに固定された金属製のシャフトに対してレンズホルダが摺動していた構成に代えて、アクチュエータベース３に対してレンズホルダ８に固定された樹脂製のシャフト５が摺動する構成とすることにより、フォーカスやトラッキングの性能は維持しながら部品のコストを削減することができる。更に、レンズホルダ８とシャフト５とを樹脂の一体成型にすることにより、部品点数が削減され、作業工程の削減とコスト削減とが実現する。
【００３０】
本発明の光ディスク装置は、ＣＤやＤＶＤ等の光ディスクを再生、記録する。光ディスク装置の一例としてＤＶＤプレーヤを例にその構成を説明する。ＤＶＤプレーヤは、ＤＶＤにデジタル記録された画像データをデータ・ビット・ストリームとして読み出すディスクドライブ装置と、読み出されたデータ・ビット・ストリームから圧縮変換前の画像データと音声データとを復元して画像と音声を再生するデコーダと、ＤＶＤプレーヤ全体の動作を制御する制御部と、視聴制限の基準となる所定の周波数を格納するＥＥＰＲＯＭと、リモコンからの赤外線の明滅信号による操作指示を入力する受光回路と、ユーザがＤＶＤプレーヤに対する操作指示をＤＶＤプレーヤ側にて実施可能な操作パネルとから構成されている。付属品として上記の操作指示を入力するリモコンがある。
【００３１】
ディスクドライブ装置は、フォーカス用の磁気駆動部等に対して制御信号を送出することにより光ピックアップを所定位置に駆動させるサーボ信号処理部と、光ピックアップからの読み取り信号を増幅して所定の制御信号を生成するＲＦアンプと、増幅された信号の中から記録されているデジタルデータを復元してデータ・ビット・ストリームに変換して出力するＣＤ信号処理部とから構成されている。
【００３２】
そして、制御部による制御のもとでこれらが相互に作動し、ＤＶＤに記録されたデータ・ビット・ストリームをデコーダに出力可能となっている。デコーダはデータ・ビット・ストリームをビデオ成分とオーディオ成分とに分離するとともにＭＰＥＧ復調し、ビデオ信号と音声信号とに復元しつつそれらを同期させて出力する。
【００３３】
制御部の内部には演算処理の主体となるＣＰＵとともに、所定の制御プログラムが記録されたＲＯＭやワークエリアなどとして利用されるＲＡＭが備えられているとともに、外部機器を制御するための制御回路が備えられている。この制御部による制御のもとで上述したようにディスクドライブ装置やデコーダが画像及び音声を再生する。
【産業上の利用可能性】
【００３４】
本発明は、ＣＤやＤＶＤ等の光ディスクを再生、記録する光ディスク装置であって、支点軸方式の光ピックアップを備えたものに利用することができる。
【図面の簡単な説明】
【００３５】
【図１】本発明の光ピックアップの分解斜視図である。
【図２】本発明の光ピックアップの上面図である。
【図３】本発明の光ピックアップの側断面図である。
【符号の説明】
【００３６】
１    光ピックアップ
３    アクチュエータベース
３ｃ    孔
５    シャフト
８    レンズホルダ
１１    対物レンズ
【図１】
2007234125.tif 000003
【図２】
2007234125.tif 000004
【図３】
2007234125.tif 000005